(57)【要約】【課題】柱の周囲が狭隘であっても施工でき、かつ、作業効率が低下するのを防止しつつ、施工コストが増大するのを抑制できる柱梁接合部の配筋方法を提供すること。【解決手段】柱梁接合部の配筋方法は、柱主筋１１が上面から僅かに突出しているＰＣａ柱１０を配置するステップＳ１と、ハーフＰＣａ梁２０Ａを揚重機で吊り上げて、このハーフＰＣａ梁２０Ａの下側梁主筋２１を柱梁接合部４０に配置するステップＳ２と、ハーフＰＣａ梁２０Ｂを揚重機で吊り上げて、ハーフＰＣａ梁２０Ｂの下側梁主筋２１をハーフＰＣａ梁２０Ａの軸方向から差し込んで柱梁接合部４０に配置するステップＳ３と、ＰＣａ柱の上面に突出した柱主筋１１に鉄筋材を接合して、柱主筋１１を延長するステップＳ４と、を備える。【選択図】図２
2018040165.tif 000002
【特許請求の範囲】
【請求項１】
プレキャストコンクリート造の柱と、互いに交差する少なくとも一対のプレキャストコンクリート造の梁と、の柱梁接合部の配筋方法であって、
前記一対の梁の下側の梁主筋は、上下二段設けられており、
柱主筋が上面から僅かに突出している柱を配置する工程と、
前記一方の梁を揚重機で吊り上げて、当該一方の梁の梁主筋を前記柱梁接合部に配置する工程と、
前記他方の梁を揚重機で吊り上げて梁幅方向に移動することで、当該他方の梁の梁主筋を前記一方の梁の軸方向から差し込んで前記柱梁接合部に配置する工程と、
前記柱の上面に突出した柱主筋に鉄筋材を接合して、当該柱主筋を延長する工程と、を備えることを特徴とする柱梁接合部の配筋方法。
【請求項２】
前記柱の柱主筋に鉄筋材を接合する工程では、機械式継手により、前記柱の柱主筋と前記鉄筋材とを接合することを特徴とする請求項１に記載の柱梁接合部の配筋方法。
【発明の詳細な説明】
【技術分野】
【０００１】
本発明は、プレキャストコンクリート造の柱とプレキャストコンクリート造の少なくとも一対の梁との柱梁接合部の配筋方法に関する。
【背景技術】
【０００２】
従来より、工期を短縮するため、柱や梁をプレキャストコンクリート化し、現場では、これらプレキャストコンクリート化した柱や梁を組み立てることが行われている。
具体的には、工場にて、プレキャストコンクリート柱（以下、ＰＣａ柱と呼ぶ）やプレキャストコンクリート梁（以下、ＰＣａ梁と呼ぶ）を製作する。これらＰＣａ柱およびＰＣａ梁を現場に搬入し、現場にて、ＰＣａ柱を配置し、その後、このＰＣａ柱の柱頭部にＰＣａ梁を配置する。
【０００３】
図８は、従来例に係る柱梁架構１０１の一部を示す斜視図である。
この柱梁架構１０１は、ＰＣａ柱１１０と、このＰＣａ柱１１０の柱頭部に接合されて互いに交差するハーフＰＣａ梁１２０Ａ、１２０Ｂと、を備える。
ＰＣａ柱１１０の柱主筋１１１は、ＰＣａ柱１１０の上面から上方に突出している。
ＰＣａ梁１２０Ａ、１２０Ｂの下側梁主筋１２１は、それぞれ、上下二段であり、ＰＣａ梁１２０Ａ、１２０Ｂの端面から水平方向に突出している。
【０００４】
この柱梁架構１０１の柱梁接合部１４０では、一方のＰＣａ梁１２０Ａの上下二段の下側梁主筋１２１と、他方のＰＣａ梁１２０Ｂの上下二段の下側梁主筋１２１とを、交互に重ねて配置する必要がある。
【０００５】
そこで、以上のような柱梁架構１０１の構築方法として、以下のような方法が提案されている。
第１の方法は、図８に示すように、まず、ＰＣａ柱１１０を配置する。この状態では、ＰＣａ柱１１０の柱主筋１１１は、柱梁接合部１４０を通って上方まで延びている。
次に、ＰＣａ梁１２０Ａを揚重機で吊り上げて、このＰＣａ梁１２０ＡをＰＣａ柱１１０の柱頭部に配置する。これにより、ＰＣａ梁１２０Ａの梁主筋１２１が柱梁接合部１４０に配置される。
【０００６】
次に、ＰＣａ柱１１０の柱頭部にＰＣａ梁１２０Ｂを配置する。このとき、ＰＣａ梁１２０Ｂを揚重機で吊り上げて、このＰＣａ梁１２０Ｂを軸方向（図８中矢印で示す方向）に移動する。これにより、ＰＣａ梁１２０Ｂの梁主筋１２１を、鉛直方向に延びるＰＣａ柱１１０の柱主筋１１１と、水平方向に延びるＰＣａ梁１２０Ａの梁主筋１２１と、の隙間に差し込むことができる。
【０００７】
第２の方法は、先組みユニットとして、地上にて、柱梁架構の柱梁接合部の柱主筋、梁主筋からなる組立鉄筋ブロックを先組みしておき、この組立鉄筋ブロックを揚重して、ＰＣａ柱の柱頭部に配置する（特許文献１参照）。
【先行技術文献】
【特許文献】
【０００８】
【特許文献１】特許第２６４３６４１号公報
【発明の概要】
【発明が解決しようとする課題】
【０００９】
第１の方法では、後置きのＰＣａ梁を軸方向に移動するが、この場合、例えば、揚重機のブームの起伏操作とワイヤーの巻取りあるいは巻戻し操作とを、同時に行うことになる。そのため、揚重作業に手間がかかって、ＰＣａ梁の取付けの作業効率が悪い、という問題があった。
また、ＰＣａ梁を軸方向に移動して差し込むため、ＰＣａ柱の周囲に平面視でＰＣａ梁の全長分以上のスペースを確保する必要があった。
【００１０】
第２の方法では、ＰＣａ柱およびＰＣａ梁を設計変更し、組立鉄筋ブロックを別途設計する必要があるため、施工コストがかかる、という問題があった。
【００１１】
本発明は、柱の周囲が狭隘であっても施工でき、かつ、梁の取付け作業の作業効率が低下せず、施工コストを抑制できる柱梁接合部の配筋方法を提供することを目的とする。
【課題を解決するための手段】
【００１２】
請求項１に記載の柱梁接合部の配筋方法は、プレキャストコンクリート造の柱（例えば、後述の下側ＰＣａ柱１０）と、互いに交差する少なくとも一対のプレキャストコンクリート造の梁（例えば、後述のハーフＰＣａ梁２０Ａ、２０Ｂ）と、の柱梁接合部（例えば、後述の柱梁接合部４０）の配筋方法であって、前記一対の梁の下側の梁主筋（例えば、後述の下側梁主筋２１）は、上下二段設けられており、柱主筋（例えば、後述の柱主筋１１）が上面から僅かに突出している柱を配置する工程（例えば、後述のステップＳ１）と、前記一方の梁（例えば、後述のハーフＰＣａ梁２０Ａ）を揚重機で吊り上げて、当該一方の梁の梁主筋を前記柱梁接合部に配置する工程（例えば、後述のステップＳ２）と、前記他方の梁（例えば、後述のハーフＰＣａ梁２０Ｂ）を揚重機で吊り上げて、当該他方の梁の梁主筋を前記一方の梁の軸方向から差し込んで前記柱梁接合部に配置する工程（例えば、後述のステップＳ３）と、前記柱の上面に突出した柱主筋に鉄筋材を接合して、当該柱主筋を延長する工程（例えば、後述のステップＳ４）と、を備えることを特徴とする。
【００１３】
この発明によれば、柱の上面から柱主筋を僅かに突出させておき、この状態で、柱を配置する。次に、一方の梁を揚重機で吊り上げて、この一方の梁の梁主筋を柱梁接合部に配置する。次に、他方の梁を揚重機で吊り上げて、この他方の梁の梁主筋を水平移動して、一方の梁の軸方向から差し込んで柱梁接合部に配置する。
【００１４】
これにより、一方の梁の上下二段の梁主筋同士の間に他方の梁の梁主筋を差し込んで、一方の梁の上下二段の梁主筋と、他方の梁の上下二段の梁主筋とを、交互に重ねて配置できる。このとき、例えば揚重機のブームの旋回操作だけで他方の梁を配置できるから、揚重作業が容易となり、梁の取付け作業の作業効率が低下するのを防止できる。
【００１５】
また、柱主筋の柱の上面からの突出寸法は僅かであるので、他方の梁の梁主筋を差し込む際、他方の梁の梁主筋が柱主筋に引っ掛かることがなく、他方の梁を円滑に配置できる。
また、柱や梁の設計変更として、後施工で鉄筋材を柱主筋に接合する構造とするだけでよいので、従来のように先組みの組立鉄筋ブロックを別途設計する必要はなく、施工コストが増大するのを抑制できる。
【００１６】
また、後置きの他方の梁を、梁の軸方向でなく梁幅方向に移動して取り付けることができるので、柱の周囲が狭隘であっても施工できる。
【００１７】
請求項２に記載の柱梁接合部の配筋方法は、前記柱の柱主筋に鉄筋材を接合する工程では、機械式継手（例えば、後述の機械式継手１５）により、前記柱の柱主筋と前記鉄筋材とを接合することを特徴とする。
【００１８】
この発明によれば、機械式継手により、柱の柱主筋と鉄筋材とを接合した。よって、圧接作業のように火気を使用しないので、鉄筋材同士の接合作業を安全かつ迅速に行うことができる。
【発明の効果】
【００１９】
本発明によれば、柱の周囲が狭隘であっても容易に施工でき、かつ、梁の取付け作業の作業効率が低下せず、施工コストを抑制できる。
【図面の簡単な説明】
【００２０】
【図１】本発明の一実施形態に係る柱梁接合部の配筋方法を用いて配筋される柱梁架構の模式的な斜視図である。
【図２】前記実施形態に係る柱梁架構を構築する手順のフローチャートである。
【図３】前記実施形態に係る柱梁架構を構築する手順の説明図（その１）である。
【図４】前記実施形態に係る柱梁架構を構築する手順の説明図（その２）である。
【図５】前記実施形態に係る柱梁架構を構築する手順の説明図（その３）である。
【図６】前記実施形態に係る柱梁架構を構築する手順の説明図（その４）である。
【図７】前記実施形態に係る柱梁架構を構築する手順の説明図（その５）である。
【図８】従来例に係る柱梁架構を構築する手順の説明図である。
【発明を実施するための形態】
【００２１】
以下、本発明の一実施形態について、図面を参照しながら説明する。
図１は、本発明の一実施形態に係る柱梁接合部の配筋方法を用いて配筋される柱梁架構１の模式的な斜視図である。
この柱梁架構１は、プレキャストコンクリート造の下側ＰＣａ柱１０と、このＰＣａ柱１０の柱頭部に接合されて互いに交差するプレキャストコンクリート造のハーフＰＣａ梁２０Ａ、２０Ｂと、ＰＣａ柱１０の柱頭部に接合されたプレキャストコンクリート造の上側ＰＣａ柱３０と、を備える。
以下、これら下側ＰＣａ柱１０、ハーフＰＣａ梁２０Ａ、２０Ｂ、および上側ＰＣａ柱３０が接合される部分を、柱梁接合部４０とする。
【００２２】
以下、柱梁架構１を構築する手順について、図２のフローチャートを参照しながら説明する。
ステップＳ１では、図３に示すように、下側ＰＣａ柱１０を配置する。
この下側ＰＣａ柱１０には、柱主筋１１および図示しない帯筋が打ち込まれている。
【００２３】
柱主筋１１は、鉛直方向に延びており、平面視で下側ＰＣａ柱１０の四隅に３本ずつ、合計１２本設けられている（図４参照）。これら柱主筋１１は、下側ＰＣａ柱１０の上面から僅かに突出しており、これら柱主筋１１の高さは、後述のハーフＰＣａ梁２０Ａの下段の下側梁主筋２１よりも低くなっている（図５参照）。
帯筋は、柱主筋１１に巻き回されており、鉛直方向に所定間隔おきに設けられている。
【００２４】
ステップＳ２では、図３に示すように、一方のハーフＰＣａ梁２０Ａを揚重機で吊り上げて配置する。
このハーフＰＣａ梁２０Ａには、下側梁主筋２１およびあばら筋２２が打ち込まれている。
【００２５】
下側梁主筋２１は、水平方向に延びており、上２本下４本の上下二段設けられている（図４参照）。これら下側梁主筋２１は、ハーフＰＣａ梁２０Ａの端面から突出している。
【００２６】
あばら筋２２は、下側梁主筋２１および後述の上側梁主筋２３に巻き回されており、水平方向に所定間隔おきに設けられている。これらあばら筋２２の上側の部分は、ハーフＰＣａ梁２０Ａの上面から突出している。
あばら筋２２には、複数本の上側梁主筋２３が仮固定されている。これら上側梁主筋２３は、下側梁主筋２１よりも軸方向に引っ込んだ状態で、結束線などによりあばら筋２２に仮固定されている。
【００２７】
このステップＳ２では、ハーフＰＣａ梁２０Ａを揚重機で吊り上げて、ハーフＰＣａ梁２０Ａの下側梁主筋２１を柱梁接合部４０に配置する。
【００２８】
ステップＳ３では、図４および図５に示すように、他方のハーフＰＣａ梁２０Ｂを揚重機で吊り上げて配置する。
この後置きのハーフＰＣａ梁２０Ｂは、先置きのハーフＰＣａ梁２０Ａと同様の構造である。
【００２９】
このステップＳ３では、他方のハーフＰＣａ梁２０Ｂを揚重機で吊り上げて配置する。
具体的には、ハーフＰＣａ梁２０Ｂを梁幅方向（図４中白抜き矢印で示す水平方向）に移動することで、ハーフＰＣａ梁２０Ｂの下側梁主筋２１をハーフＰＣａ梁２０Ａの下側梁主筋２１の軸方向から差し込んで、柱梁接合部４０に配置する。
これにより、図５に示すように、一方のハーフＰＣａ梁２０Ａの上下二段の下側梁主筋２１と、他方のハーフＰＣａ梁２０Ｂの上下二段の下側梁主筋２１とが、上下方向に交互に配置される。
【００３０】
ステップＳ４では、図６および図７に示すように、柱梁接合部４０を配筋する。
具体的には、まず、図６に示すように、筒状の機械式継手１５により、ＰＣａ柱１０の柱主筋１１に鉄筋材を接合して、ＰＣａ柱１０の柱主筋１１を上方に延長する。
また、図６に示すように、ハーフＰＣａ梁２０Ａ、２０Ｂの上側梁主筋２３の仮固定を解除して水平方向に移動し、柱梁接合部４０内に挿入する。次に、これら上側梁主筋２３および下側梁主筋２１の先端に、板状のエンドプレート２４を取り付ける。
さらに、図７に示すように、柱梁接合部４０内に帯筋１２を取り付ける。
【００３１】
ステップＳ５では、柱梁接合部４０の側面およびハーフＰＣａ梁２０Ａ、２０Ｂの側面に図示しない型枠を建て込んで、コンクリートを打設する。これにより、図７中破線で示すように、柱躯体および梁躯体が完成する。
【００３２】
ステップＳ６では、図７に示すように、上側ＰＣａ柱３０を配置する。
上側ＰＣａ柱３０は、下側ＰＣａ柱１０と同様の構造であるが、ＰＣａ柱３０の下面には、上側ＰＣａ柱３０の柱主筋１１が接合された継手部１６が設けられている。
このステップＳ６では、上側ＰＣａ柱３０を揚重機で吊り上げて、下側ＰＣａ柱１０の上に配置することで、下側ＰＣａ柱１０の柱主筋１１を、上側ＰＣａ柱３０の継手部１６に挿入して接合する。
【００３３】
本実施形態によれば、以下のような効果がある。
（１）後置きのハーフＰＣａ梁２０Ｂの下側梁主筋２１を水平移動して、先置きのハーフＰＣａ梁２０Ａの上下二段の下側梁主筋２１同士の間に差し込んで、ハーフＰＣａ梁２０Ａの上下二段の下側梁主筋２１と、ハーフＰＣａ梁２０Ｂの上下二段の下側梁主筋２１とを、交互に重ねて配置した。このとき、例えば揚重機のブームの旋回操作だけでハーフＰＣａ梁２０Ｂを配置できる。よって、ハーフＰＣａ梁２０Ｂの高さ位置を高精度で調整する必要がなく、ハーフＰＣａ梁２０Ｂの取付け作業の作業効率が低下するのを防止できる。
【００３４】
また、柱主筋１１の下側ＰＣａ柱１０の上面からの突出寸法は僅かであるので、先置きのハーフＰＣａ梁２０Ａを位置決めする際、この下側ＰＣａ柱１０の柱主筋１１を目印として利用できる。また、ハーフＰＣａ梁２０Ｂの下側梁主筋２１を差し込む際、ハーフＰＣａ梁２０Ｂの下側梁主筋２１が柱主筋１１に引っ掛かることがなく、ハーフＰＣａ梁２０Ｂを円滑に配置できる。
また、柱や梁の設計変更として、後施工で鉄筋材を柱主筋１１に接合する構造とするだけでよいので、従来のように先組みの組立鉄筋ブロックを別途設計する必要はなく、施工コストが増大するのを抑制できる。
【００３５】
また、ハーフＰＣａ梁２０Ｂを、梁の軸方向ではなく梁幅方向に水平移動して取り付けることができるので、ＰＣａ柱１０の周囲が狭隘であっても施工できる。
【００３６】
（２）機械式継手１５により、ＰＣａ柱１０の柱主筋１１と鉄筋材とを接合した。よって、圧接作業のように火気を使用しないので、鉄筋材同士の接合作業を安全かつ迅速に行うことができる。
【００３７】
なお、本発明は前記実施形態に限定されるものではなく、本発明の目的を達成できる範囲での変形、改良等は本発明に含まれるものである。
【符号の説明】
【００３８】
１…柱梁架構
１０…下側ＰＣａ柱  １１…柱主筋  １２…帯筋
１５…機械式継手  １６…継手部
２０Ａ、２０Ｂ…ハーフＰＣａ梁  ２１…下側梁主筋  ２２…あばら筋
２３…上側梁主筋  ２４…エンドプレート
３０…上側ＰＣａ柱  ４０…柱梁接合部
【図１】
2018040165.tif 000003
【図２】
2018040165.tif 000004
【図３】
2018040165.tif 000005
【図４】
2018040165.tif 000006
【図５】
2018040165.tif 000007
【図６】
2018040165.tif 000008
【図７】
2018040165.tif 000009
【図８】
2018040165.tif 000010